(57)【要約】【課題】児童向けの携帯電子機器等の利便性を向上させること。【解決手段】例えば、電子機器１は、表面に設けられる表示部２と、背面に設けられ、背面側から表面側への押下可能な操作部３（例えばボタン）と、操作部３が背面側から表面側へ押下されることによって緊急機能を実行する制御部１０と、を備える。【選択図】図５
2019033428.tif 000002
【特許請求の範囲】
【請求項１】
表面に設けられる表示部と、
背面に設けられ、前記背面側から前記表面側への押下可能なボタンと、
前記ボタンが前記背面側から前記表面側へ押下されることによって緊急機能を実行する制御部と、
を備える電子機器。
【請求項２】
前記表面と、前記背面と、前記背面に設けられて前記ボタンの周囲に位置する壁部とを含むハウジングを備え、
前記壁部は、前記背面から自機の外部に向かって突出する形状を有する
請求項１に記載の電子機器。
【請求項３】
前記壁部は、前記ボタンに近くなるほど、前記ボタンの押下面とのなす角度が大きくなるように傾斜面を有する
請求項２に記載の電子機器。
【請求項４】
前記ボタンは、前記電子機器の背面の中央に設けられ、
前記壁部は、前記電子機器の背面において、前記ボタンの上方と下方の双方に前記傾斜面を有する
請求項３に記載の電子機器。
【請求項５】
通信部を備え、
前記制御部は、
自機のユーザのメッセージの情報と予め登録された複数の登録者のメッセージの情報とを所定の画面に逐次表示させる機能を備え、
前記ボタンが押下された場合、当該ボタンが押下されたことを示す前記メッセージの情報を前記所定の画面に表示させる
請求項１から４のいずれか１項に記載の電子機器。
【請求項６】
前記制御部は、
前記メッセージを送信または受信した第１時刻を前記メッセージの情報に付加して前記所定の画面に表示し、
前記ボタンが押下された場合、当該ボタンが押下された第２時刻を有する前記メッセージを前記所定の画面に表示させる
請求項５に記載の電子機器。
【請求項７】
前記制御部は、
前記ボタンの操作によって前記複数の登録者のいずれかと通話を行うと、当該登録者と通話が行われたことを示す前記メッセージの情報を前記所定の画面に表示させる
請求項５または６に記載の電子機器。
【請求項８】
前記制御部は、前記登録者と通話が行われたことを示す前記メッセージの情報を前記複数の登録者が使用している第２電子機器に表示させる
請求項７に記載の電子機器。
【請求項９】
前記所定の画面は、前記メッセージの情報と、前記メッセージの送信元を示すアバターの情報とを対応付けて表示し、
前記ボタンの押下に基づかない前記メッセージの情報を表示する場合、前記所定の画面は、前記アバターの情報を第１の大きさで表示し、
前記ボタンが押下されたことを示す前記メッセージの情報を表示する場合、前記所定の画面は、前記アバターの情報を第１の大きさよりも小さい第２の大きさで表示する
請求項５から８のいずれか１項に記載の電子機器。
【請求項１０】
請求項５から９のいずれか１項に記載の電子機器と、
第２表示部と第２通信部とを有する第２電子機器と、を備え、
前記第２電子機器は、
前記第２通信部を介して前記電子機器のボタンが押下されたことを示すメッセージの情報を受信し、当該メッセージの情報を他のメッセージの情報とともに前記第２表示部に表示させる
通信システム。
【発明の詳細な説明】
【技術分野】
【０００１】
本出願は、電子機器及び通信システムに関する。
【背景技術】
【０００２】
従来、携帯電話等の電子機器には、児童が携帯する電子機器がある（特許文献１参照）。
【先行技術文献】
【特許文献】
【０００３】
【特許文献１】特開２０１６−１０５６３０号公報
【発明の概要】
【発明が解決しようとする課題】
【０００４】
従来の児童が携帯する電子機器は、利便性の向上が望まれている。
【課題を解決するための手段】
【０００５】
態様の１つに係る電子機器は、表面に設けられる表示部と、背面に設けられ、前記背面側から前記表面側への押下可能なボタンと、前記ボタンが前記背面側から前記表面側へ押下されることによって緊急機能を実行する制御部と、を備える。
【０００６】
態様の１つに係る通信システムは、上記の電子機器と、第２表示部と第２通信部とを有する第２電子機器と、を備える。前記第２電子機器は、前記第２通信部を介して前記電子機器のボタンが押下されたことを示すメッセージの情報を受信し、当該メッセージの情報を他のメッセージの情報とともに前記第２表示部に表示させる。
【図面の簡単な説明】
【０００７】
【図１】図１は、実施形態に係る通信システムの一例を示す図である。
【図２】図２は、実施形態に係る第１電子機器の正面図である。
【図３】図３は、実施形態に係る第１電子機器の背面図である。
【図４】図４は、実施形態に係る第１電子機器の側面図である。
【図５】図５は、実施形態に係る第１電子機器のブロック図である。
【図６】図６は、実施形態に係る第２電子機器のブロック図である。
【図７】図７は、アドレス帳データの一例を示す図である。
【図８】図８は、第１電子機器のメッセージ機能の一例を示す図である。
【図９】図９は、第１電子機器の緊急連絡機能の一例を示す図である。
【図１０】図１０は、第１電子機器が緊急連絡機能を実行した場合の第２電子機器の表示例を示す図である。
【図１１】図１１は、第１電子機器による緊急連絡機能の制御の一例の処理手順を示すフローチャートである。
【発明を実施するための形態】
【０００８】
本出願に係る電子機器及び通信システムを実施するための複数の実施形態を、図面を参照しつつ詳細に説明する。以下では、児童向けの電子機器及び通信システムの一例について説明する。
【０００９】
図１は、実施形態に係る通信システムの一例を示す図である。図１に示すように、通信システム１００は、第１電子機器１と、第２電子機器５０Ａ，５０Ｂと、サーバ８０とを有する。第１電子機器１と、第２電子機器５０Ａ，５０Ｂと、サーバ８０とは、通信ネットワーク７０を介して相互に通信できる。通信ネットワーク７０は、有線または無線のネットワークを含む。第１電子機器１は、例えば、児童によって携帯される携帯電子機器である。第２電子機器５０Ａ，５０Ｂは、例えば、児童の保護者によって携帯される携帯電子機器である。以下では、第２電子機器５０Ａ，５０Ｂを、どの第２電子機器であるかを特定することなく、第２電子機器５０と総称することがある。
【００１０】
サーバ８０は、第１電子機器１及び第２電子機器５０Ａ，５０Ｂのユーザ間のメッセージの交換サービス、タイムラインサービス等を提供できる。サーバ８０は、例えば、家族内に限定されたコミュニケーションサービスを、第１電子機器１及び第２電子機器５０Ａ，５０Ｂのユーザに提供できる。第１電子機器１及び第２電子機器５０Ａ，５０Ｂは、所定のアプリケーションを実行し、サーバ８０に接続することで、サーバ８０から家族内のコミュニケーションサービスを受けることができる。
【００１１】
図２は、実施形態に係る第１電子機器１の正面図である。図３は、実施形態に係る第１電子機器１の背面図である。図４は、実施形態に係る第１電子機器１の側面図である。
【００１２】
図２から図４に示すように、第１電子機器１は、ハウジング２０を有する。ハウジング２０は、正面の外形が楕円状に形成されている。ハウジング２０は、表面１Ａと、背面１Ｂと、側面１Ｃとを有する。表面１Ａは、ハウジング２０の正面である。背面１Ｂは、ハウジング２０の表面１Ａとは反対側の面である。側面１Ｃは、表面１Ａと背面１Ｂとを接続する側面である。側面１Ｃは、曲面を含む。
【００１３】
第１電子機器１は、表示部２と、カメラ１２とを表面１Ａに有する。第１電子機器１は、ボタン３Ａと、カメラ１３とを背面１Ｂに有する。第１電子機器１は、ボタン３Ｂ，３Ｃを側面１Ｃに有する。ボタン３Ａは、背面１Ｂ側から表面１Ａ側への押下可能なボタンを含む。ボタン３Ａは、第１電子機器１の背面１Ｂの中央に設けられている。ボタン３Ａは、外形が円形のボタンとなっている。ボタン３Ａは、緊急機能を第１電子機器１に実行させることが可能なボタンである。第１電子機器１は、ボタン３Ａが押下された場合、緊急機能を実行できる。緊急機能は、例えば、緊急連絡機能を含む。
【００１４】
ボタン３Ｂ，３Ｃは、第１電子機器１の側面１Ｃに設けられている。ボタン３Ａは、ボタン３Ｂ，３Ｃよりも大きくなっている。以下では、ボタン３Ａ〜３Ｃを、どのボタンであるかを特定することなく、操作部３と総称することがある。
【００１５】
第１電子機器１は、背面１Ｂに緊急用のボタン３Ａを備えているので、例えば、緊急時にストラップ等を引っ張るタイプの携帯端末と比べて、不審者からボタン３Ａの存在を気付かれ難くできる。また、ストラップ等を引っ張るタイプの携帯端末は、両手でないとストラップ等を引くのが困難である。これに対し、第１電子機器１は、背面１Ｂにボタン３Ａを設けているので、ユーザが児童であっても片手でボタン３Ａを操作することができる。
【００１６】
ハウジング２０は、ボタン３Ａの周囲に位置する壁部１Ｄを有する。壁部１Ｄは、背面１Ｂから第１電子機器１の外部に向かって突出する形状を有する。壁部１Ｄは、ボタン３Ａに近くなるほど、ボタン３Ａの押下面（表面）とのなす角度θが大きくなる傾斜面１Ｅを有する。壁部１Ｄは、背面１Ｂにおいて、ボタン３Ａの押下面よりも外部に向かって突出している。壁部１Ｄは、第１電子機器１の背面１Ｂにおいて、少なくともボタン３Ａの上方と下方の双方に傾斜面１Ｅを有する。
【００１７】
第１電子機器１は、背面１Ｂのボタン３Ａの周囲に、ボタン３Ａの押下面よりも外部に向かって突出する壁部１Ｄを設けることにより、ボタン３Ａが他の物体と接触し難くなっている。例えば、第１電子機器１は、表面１Ａを上向きにした状態でテーブル、机等に置かれても、当該テーブル、机等と背面１Ｂのボタン３Ｂの押下面とが接触することを防止できる。第１電子機器１は、背面１Ｂのボタン３Ａの周囲に壁部１Ｄを設けることにより、当該壁部１Ｄにユーザの指が引っかけられるので、指が滑ってボタン３Ａを誤って押下してしまう可能性を低減できる。その結果、第１電子機器１は、背面２Ｂに大きなボタン３Ａを設けることができるため、ボタン３Ａの誤操作を抑制し、ユーザの操作性を向上させることができる。
【００１８】
本実施形態では、壁部１Ｄは、ボタン３Ａの周囲の全てを囲むように背面１Ｂを設ける場合について説明するが、これに限定されない。例えば、壁部１Ｄは、ボタン３Ａの周囲に複数の壁、突起等を点在させてもよい。
【００１９】
第２電子機器５０Ａ，５０Ｂは、例えば、モバイルフォン、スマートフォン、スマートウォッチ、携帯型パソコン、ヘッドマウントディスプレイ、デジタルカメラ、メディアプレイヤ、電子書籍リーダ、ナビゲータ、及びゲーム機を含む。
【００２０】
次に、図５及び図６を参照しながら、図１から図３に示した第１電子機器１及び第２電子機器５０Ａ，５０Ｂの構成について説明する。以下の説明においては、同様の構成要素に同一の符号を付すことがある。さらに、重複する説明は省略することがある。
【００２１】
図５は、実施形態に係る第１電子機器１のブロック図である。図５に示すように、第１電子機器１は、表示部２と、操作部３と、通信部６と、レシーバ７と、マイク８と、記憶部９と、制御部１０と、スピーカ１１と、カメラ１２，１３と、振動部１５と、ランプ１６とを有する。
【００２２】
表示部２は、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）等の表示パネルを有する。表示部２は、制御部１０から入力される信号に応じて、文字、図形、画像等の情報を表示する。表示部２が表示する情報には、報知のための画面、アイコン等が含まれる。
【００２３】
操作部３は、ユーザの操作を受け付けるための１ないし複数のデバイスを有する。ユーザの操作を受け付けるためのデバイスは、例えば、キー、ボタン、タッチスクリーン等を含む。操作部３は、受け付けた操作に応じた信号を制御部１０へ入力する。
【００２４】
操作部３は、ボタン３Ａ〜ボタン３Ｃを有する。制御部１０は、操作部３と協働することによって操作部３に対する操作を検出する。操作部３に対する操作は、例えば、クリック、ダブルクリック、トリプルクリック、プッシュ、及びマルチプッシュを含むが、これらに限定されない。
【００２５】
ボタン３Ａは、例えば、緊急時、カメラ１２，１３の起動時、所定のアプリケーションの起動時、画面操作時等に操作可能なボタンである。ボタン３Ｂは、例えば、通話ボタンである。ボタン３Ｃは、第１電子機器１の電源ボタンである。ボタン３Ｃは、スリープ／スリープ解除ボタンを兼ねてもよい。
【００２６】
通信部６は、無線により通信する。通信部６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（登録商標）（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。通信部６は、上述した通信規格の１つ又は複数をサポートしていてもよい。
【００２７】
レシーバ７及びスピーカ１１は、音出力部である。レシーバ７及びスピーカ１１は、制御部１０から入力される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、ユーザの音声等を音信号へ変換して制御部１０へ入力する。
【００２８】
記憶部９は、プログラム及びデータを記憶する。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２９】
記憶部９は、例えば、制御プログラム９Ａ、メッセージアプリケーション９Ｂ、電話アプリケーション９Ｃ、アドレス帳データ９Ｙ、及び設定データ９Ｚを記憶できる。メッセージアプリケーション９Ｂは、メッセージの作成、送信、受信、及び表示等のためのメッセージ機能を提供できる。電話アプリケーション９Ｃは、他の電子機器との間で通話を行うための通話機能を提供できる。アドレス帳データ９Ｙは、通信相手に関する各種の情報を含む。設定データ９Ｚは、第１電子機器１の動作に関する各種の設定に関する情報を含む。
【００３０】
制御プログラム９Ａは、第１電子機器１を稼働させるための各種制御に関する機能を提供してもよい。制御プログラム９Ａは、例えば、通信部６等を制御することによって、通信を実現させる。制御プログラム９Ａが提供する機能には、操作部３を介して検出されたジェスチャに応じて、表示部２に表示されている情報を変更する等の各種制御を行う機能が含まれる。制御プログラム９Ａが提供する機能には、ボタン３Ａが押下されたとき、緊急連絡を行う緊急連絡機能が含まれる。制御プログラム９Ａが提供する機能には、他の電子機器からのメッセージの情報を受信して、当該メッセージを表示部２に逐次表示する機能が含まれる。メッセージは、例えば、ＳＮＳ（Ｓｏｃｉａｌ  Ｎｅｔｗｏｒｋｉｎｇ  Ｓｅｒｖｉｃｅ）、電子メールの情報等を含む。他の電子機器は、例えば、第２電子機器５０、サーバ８０等を含む。制御プログラム９Ａが提供する機能は、他のプログラムが提供する機能と組み合わせて利用されることがある。なお、制御プログラム９Ａが提供する機能には、ボタン３Ａが押下されたとき、防犯ブザーを鳴動させる防犯機能が含まれてもよい。制御プログラム９Ａが提供する機能には、ボタン３Ａが押下されたとき、所定のアプリケーションを起動させる機能が含まれてもよい。
【００３１】
アドレス帳データ９Ｙは、自機で通信可能な通信相手に関する各種の情報を含む。アドレス帳データ９Ｙには、通信相手毎にアドレス情報が記憶される。アドレス情報は、例えば、通信相手の電話番号、メールアドレス等の情報を含む。本実施形態では、自機を所有するユーザが児童である場合、アドレス帳データ９Ｙには、当該児童の両親、親族等のアドレス情報が登録される。
【００３２】
制御部１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。制御部１０は、第１電子機器１の動作を統括的に制御できる。制御部１０の各種機能は、制御部１０の制御に基づいて実現される。
【００３３】
具体的には、制御部１０は、記憶部９に記憶されているデータを必要に応じて参照しつつ、記憶部９に記憶されているプログラムに含まれる命令を実行する。そして、制御部１０は、データ及び命令に応じて機能部を制御し、それによって各種機能を実現する。機能部は、例えば、表示部２、通信部６、レシーバ７、スピーカ１１、振動部１５、及びランプ１６を含むが、これらに限定されない。制御部１０は、検出部の検出結果に応じて、制御を変更することがある。検出部は、例えば、操作部３、通信部６、及びマイク８を含むが、これらに限定されない。
【００３４】
カメラ１２及びカメラ１３は、撮影した画像を電気信号へ変換できる。カメラ１２は、表面１Ａに面している物体を撮影するインカメラである。カメラ１３は、背面１Ｂに面している物体を撮影するアウトカメラである。
【００３５】
振動部１５は、第１電子機器１を振動させる。振動部１５は、第１電子機器１を振動させるために、例えば、圧電素子、又は偏心モータを用いる。ランプ１６は、設定された色及びパターンで発光する。ランプ１６は、ＬＥＤ（Ｌｉｇｈｔ  Ｅｍｉｔｔｉｎｇ  Ｄｉｏｄｅ）等の光源を有し、光源の発する光が外部から視認できるように第１電子機器１に搭載される。表示部２、スピーカ１１、振動部１５及びランプ１６は、電話の着信、メッセージ及びメールの受信、スケジュールに登録された時刻の到来等をユーザに報知するために用いられる。
【００３６】
図５に示した第１電子機器１の構成は一例であり、本発明の要旨を損なわない範囲において適宜変更してよい。例えば、第１電子機器１は、ＧＰＳ受信機を備えてもよい。第１電子機器１は、ＧＰＳ受信機より取得する信号に基づいて、自機の位置情報を検出してもよい。
【００３７】
図６は、実施形態に係る第２電子機器５０Ａ，５０Ｂのブロック図である。図６に示すように、第２電子機器５０Ａ，５０Ｂは、表示部２と、操作部３と、通信部６と、レシーバ７と、マイク８と、記憶部９と、制御部１０と、スピーカ１１と、振動部１５と、ランプ１６とを有する。
【００３８】
記憶部９は、例えば、制御プログラム９０Ａ、メッセージアプリケーション９Ｂ、電話アプリケーション９Ｃ、アドレス帳データ９Ｙ及び設定データ９Ｚを記憶できる。設定データ９Ｚは、第２電子機器５０の動作に関する各種の設定に関する情報を含む。
【００３９】
制御プログラム９０Ａは、第２電子機器５０を稼働させるための各種制御に関する機能を提供してもよい。制御プログラム９０Ａは、例えば、通信部６等を制御することによって、通信を実現させる。制御プログラム９０Ａが提供する機能には、操作部３を介して検出されたジェスチャに応じて、表示部２に表示されている情報を変更する等の各種制御を行う機能が含まれる。制御プログラム９０Ａが提供する機能には、他の電子機器からのメッセージの情報を受信して、当該メッセージを表示部２に逐次表示する機能が含まれる。メッセージは、例えば、電子メール、ＳＮＳの情報等を含む。他の電子機器は、例えば、第１電子機器１、サーバ８０等を含む。制御プログラム９０Ａが提供する機能は、他のプログラムが提供する機能と組み合わせて利用されることがある。
【００４０】
図７を参照しながら、通信システム１００における第１電子機器１のアドレス帳データ９Ｙの一例について説明する。図７は、アドレス帳データ９Ｙの一例を示す図である。アドレス帳データ９Ｙは、コミュニティに予め登録された複数の登録者（ユーザ）の情報を有する。本実施形態では、コミュニティが家族である場合の一例について説明するが、家族以外としてもよい。
【００４１】
図７に示すように、アドレス帳データ９Ｙは、グループと、ユーザ名と、電話番号と、ユーザ情報と、緊急連絡先との項目を含む。グループの項目には、予め設定されたグループが設定される。ユーザ名の項目には、ユーザの名前、識別番号等が設定される。電話番号の項目には、ユーザの電話番号が設定される。ユーザ情報の項目には、例えば、ユーザに関する情報が設定される。ユーザに関する情報は、例えば、ユーザの画像、ユーザに設定されたアバターの情報等を含む。緊急連絡先の項目には、緊急連絡先を示す情報が設定される。
【００４２】
図７に示す例では、アドレス帳データ９Ｙは、グループが「家族」に対応する情報を含む。グループが「家族」の１行目の情報では、名前、電話番号、ユーザ情報の項目に、「ゆうた」、「０９０−１２３４−００００」、「アバター９３」の情報がそれぞれ設定されている。１行目の情報では、緊急連絡先の項目が未設定となっている。２行目の情報では、名前、電話番号、ユーザ情報、緊急連絡先の項目に、「ママ」、「０９０−１２３４−０００１」、「アバター９１」、「優先度Ｐ１」の情報がそれぞれ設定されている。３行目の情報では、名前、電話番号、ユーザ情報、緊急連絡先の項目に、「パパ」、「０９０−１２３４−０００２」、「アバター９２」、「優先度Ｐ２」の情報がそれぞれ設定されている。優先度Ｐ１，Ｐ２は、グループ内における緊急連絡先の優先順位を示している。優先度Ｐ１は、優先度Ｐ２よりも優先順位が高くなっている。
【００４３】
第２電子機器５０Ａ，５０Ｂのアドレス帳データ９Ｙは、第１電子機器１のアドレス帳データ９Ｙとグループが「家族」と同様のデータを有している。
【００４４】
サーバ８０は、第１電子機器１及び第２電子機器５０Ａ，５０Ｂのアドレス帳データ９Ｙに登録されたグループ内のメッセージの交換サービスを提供する。第１電子機器１及び第２電子機器５０Ａ，５０Ｂは、グループ内に属する送信元及び送信先のユーザを指定して、メッセージの送信をサーバ８０に指示する。サーバ８０は、受信したメッセージを送信先のメンバーに送信する。
【００４５】
図８は、第１電子機器１のメッセージ機能の一例を示す図である。図８に示す例では、アドレス帳データ９Ｙの「家族」のグループに登録された３人のメンバーの間でメッセージの交換を行う場合について説明する。ユーザ名が「ゆうた」のユーザは、第１電子機器１を用いてメッセージの交換を行う。ユーザ名が「ママ」のユーザは、第２電子機器５０Ａを用いてメッセージの交換を行う。ユーザ名が「パパ」のユーザは、第２電子機器５０Ｂを用いてメッセージの交換を行う。ユーザ名が「ゆうた」のユーザは、児童である。ユーザ名が「ママ」及び「パパ」のユーザは、ユーザ名が「ゆうた」のユーザの両親である。
【００４６】
図８に示すように、ステップＳ１１では、第１電子機器１は、メッセージアプリケーション９Ｂを実行している。第１電子機器１は、サーバ８０によって提供される家族内のコミュニケーションサービスを使用している時の画面４０を表示部２に表示する。画面４０は、アドレス帳データ９Ｙに登録されている「家族」のグループに属するユーザのメッセージを表示する。画面４０は、第１電子機器１を用いているユーザのメッセージを、当該ユーザの情報とともに、時系列に沿って画面４０の上から下に順番に表示する。画面４０は、ユーザ自身が送信したメッセージを画面４０の右側から表示する。画面４０は、ユーザが受信した他のユーザからのメッセージを画面４０の左側から表示する。画面４０は、サーバ８０によるコミュニケーションサービスを使用している他のユーザの情報を表示する。
【００４７】
ステップＳ１１では、第１電子機器１のユーザ（以下「じぶん」ともいう）と、「家族」のグループに属する「パパ」と「ママ」のユーザが、コミュニケーションサービスを使用している。ステップＳ１１では、第１電子機器１は、ユーザが「パパ」の第２電子機器５０Ｂから送信されたメッセージ４１ａを、サーバ８０からの指示によって画面４０に表示する。この場合、画面４０は、ユーザが「パパ」のアバター９２と、メッセージ４１ａの送信時間を、メッセージ４１ａの情報とともに表示する。
【００４８】
ステップＳ１１に示す例では、メッセージ４１ａは、「なにしているの？」を示している。画面４０は、メッセージ４１ａの送信時間が「１６：３０」であることを示す情報を表示している。画面４０は、コミュニケーションサービスを使用しているユーザを示す情報として、「パパとママがいます」の情報を表示する。
【００４９】
ステップＳ１２では、第１電子機器１のユーザは、メッセージ４１ａに返信するために、画面４０の入力欄にメッセージ４１ｂを入力し、第１電子機器１に送信を指示している。第１電子機器１は、送信の指示を検出すると、画面４０の入力欄に入力されたメッセージ４１ｂの情報を作成する。第１電子機器１は、「家族」のグループに属する「ママ」，「パパ」のユーザの第２電子機器５０Ａ，５０Ｂへのメッセージ４１ｂの送信をサーバ８０に指示する。
【００５０】
サーバ８０は、第１電子機器１からメッセージ４１ｂの情報を受信すると、送信先として指示された「ママ」，「パパ」のユーザが使用している第２電子機器５０Ａ，５０Ｂにメッセージ４１ｂを送信する。その結果、第２電子機器５０Ａ，５０Ｂは、受信したメッセージ４１ｂを第２電子機器５０Ａ，５０Ｂの所定の画面に時系列で表示する。
【００５１】
ステップＳ１３では、第１電子機器１は、サーバ８０に送信を指示したメッセージ４１ｂの情報とその送信時間を、表示部２の画面４０に表示する。この場合、第１電子機器１は、アドレス帳データ９Ｙに基づいて、ユーザ名が「ゆうた」のアバター９３を「じぶん」のアバター９３としてメッセージ４１ｂの情報とともに画面４０に表示する。画面４０は、第１電子機器１のユーザである「じぶん」のアバター９３とメッセージ４１ｂの送信時間とを示す情報を、メッセージ４１ｂの情報とともに表示する。以降、第１電子機器１は、第２電子機器５０Ａ，５０Ｂとサーバ８０を介してメッセージの交換をすると、送受信したメッセージの情報を画面に時系列で表示する。
【００５２】
図８に示す例では、第１電子機器１は、アバター９２，９３を第１の大きさで画面４０に表示させている。ステップＳ１３に示す例では、画面４０は、メッセージ４１ｂの情報として「ゲームしてる」の情報を表示している。その結果、第１電子機器１は、ユーザが「パパ」の第２電子機器５０Ｂから送信されたメッセージ４１ａと、ステップＳ１２で第１電子機器１によって送信したメッセージ４１ｂとを画面４０に時系列で表示する。ユーザ名が「ゆうた」のユーザは、第１電子機器１の画面４０を参照することで、ユーザ名が「パパ」からのメッセージ４１ａと、自分で送信したメッセージ４１ｂとを時系列で確認することができる。
【００５３】
ユーザ名が「ママ」，「パパ」のユーザが使用する第２電子機器５０Ａ，５０Ｂは、第１電子機器１の画面４０の主体を「ママ」，「パパ」のユーザとした所定の画面を表示部２に表示する。その結果、第１電子機器１と第２電子機器５０Ａ，５０Ｂとは、サーバ８０を介して、「家族」のグループに属する複数のユーザのメッセージを交換し、当該メッセージを時系列で表示することができる。
【００５４】
図９は、第１電子機器１の緊急連絡機能の一例を示す図である。図９に示す一例では、アドレス帳データ９Ｙの「家族」のグループに登録された３人のメンバーの間でメッセージの交換が可能な状態である場合の一例について説明する。
【００５５】
図９に示すように、ステップＳ２１では、第１電子機器１の児童であるユーザは、第１電子機器１の緊急連絡機能を実行している。例えば、当該ユーザは、第１電子機器１の背面１Ｂのボタン３Ａを、緊急連絡機能を実行するために、指Ｆで背面１Ｂ側から表面１Ａ側に向かって押下している。第１電子機器１は、ボタン３Ａの押下を検出すると、緊急連絡機能の実行を報知する。第１電子機器１は、ボタン３Ａが押下された時間を記憶部９に記憶する。
【００５６】
ステップＳ２２として、第１電子機器１は、ボタン３Ａの押下を検出したので、通信部６を介してアドレス帳データ９Ｙの緊急連絡先に発信する。図９に示す例では、第１電子機器１は、「家族」のグループに属する優先順位の高い「ママ」が使用している第２電子機器５０Ａに対して発信する。第１電子機器１は、第２電子機器５０Ａでオフフック操作が行われると、第１電子機器１と第２電子機器５０Ａとの間で通話が開始される。
【００５７】
ステップＳ２３として、第１電子機器１は、緊急連絡機能を実行すると、メッセージアプリケーション９Ｂを実行する。第１電子機器１は、ボタン３Ａが押下されたことを示すメッセージ４１ｃの情報を作成する。例えば、第１電子機器１は、ボタン３Ａが押下された時間と、本文とを有するメッセージ４１ｃの情報を作成する。図９に示す例では、メッセージ４１ｃは、ボタン３Ａが押下された時間「１２：３５」と、「緊急連絡ボタンが押されました」の本文とを有する。
【００５８】
第１電子機器１は、作成したメッセージ４１ｃの情報を、「家族」のグループに属するユーザ名が「ママ」と「パパ」のユーザへ送信することをサーバ８０に指示する。例えば、第１電子機器１は、メッセージアプリケーション９Ｂのメッセージ送信機能を用いて、メッセージ４１ｃの送信をサーバ８０に指示することで、メッセージ４１ｃをユーザ名が「ママ」と「パパ」のユーザへ送信する。
【００５９】
この場合、サーバ８０は、第１電子機器１からメッセージ４１ｃを受信すると、送信先として指示された「ママ」，「パパ」のユーザが使用している第２電子機器５０Ａ，５０Ｂにメッセージ４１ｃを送信する。その結果、第２電子機器５０Ａ，５０Ｂは、受信したメッセージ４１ｃを他のメッセージとともに所定の画面に時系列で表示することができる。
【００６０】
第１電子機器１は、サーバ８０に送信を指示したメッセージ４１ｃの情報とその送信時間とを、表示部２の画面４０に表示する。この場合、第１電子機器１は、アドレス帳データ９Ｙに基づいて、ユーザ名が「ゆうた」のアバター９３を「じぶん」のアバター９３としてメッセージ４１ｃの情報とともに画面４０に表示する。画面４０は、第１電子機器１のユーザである「じぶん」のアバター９３と、メッセージ４１ｃの送信時間を、メッセージ４１ｃの情報とともに表示する。その結果、第１電子機器１は、緊急連絡機能の実行に応じたメッセージ４１ｃを画面４０に時系列で表示する。第１電子機器１は、ボタン３Ａが押下された時間をメッセージ４１ｃが有している。このため、第１電子機器１は、メッセージ４１ｃの送信時間にずれが生じても、正確なボタン３Ａの押下時間をユーザに通知することができる。
【００６１】
図９に示す例では、第１電子機器１は、メッセージ４１ｃに対応したアバター９３の大きさを、図８に示示した通常のメッセージに対応したアバター９３の第１の大きさよりも小さい第２の大きさで画面４０に表示する。その結果、第１電子機器１は、アバター９３の大きさに基づいて、ボタン３Ａの押下によって発生したメッセージであるか否かを視覚的に判断させることができる。第１電子機器１は、アバター９３の大きさを変化させることで、メッセージ４１ｃをメッセージアプリケーション９Ｂで用いる通常のメッセージと区別して視認させることができる。
【００６２】
この場合、第２電子機器５０Ａ，５０Ｂは、メッセージ４１ｃを所定の画面に表示する場合、送信元もユーザである「ゆうた」のアバター９３を、第１電子機器１と同様に、第２の大きさで表示する。
【００６３】
ステップＳ２３では、第１電子機器１のユーザとユーザ名が「ママ」のユーザとの通話が終了している。第１電子機器１は、緊急連絡機能による通話の終了を検出すると、通話の相手及び通話時間を示す情報を記憶部９に記憶する。第１電子機器１は、ボタン３Ａの操作によってユーザと通話が行われたことを示すメッセージ４１ｄの情報を作成する。メッセージ４１ｄは、例えば、「家族」のグループに属するユーザ同士が電話連絡したことを他のユーザに通知するためのメッセージである。
【００６４】
ステップＳ２４では、第１電子機器１は、メッセージ４１ｄの情報を、「家族」のグループに属するユーザ名が「ママ」と「パパ」のユーザへ送信することをサーバ８０に指示する。例えば、第１電子機器１は、メッセージアプリケーション９Ｂのメッセージ送信機能を用いて、メッセージ４１ｄの送信をサーバ８０に指示する。
【００６５】
この場合、サーバ８０は、第１電子機器１からメッセージ４１ｄを受信すると、送信先として指示された「ママ」，「パパ」のユーザが使用している第２電子機器５０Ａ，５０Ｂにメッセージ４１ｄを送信する。その結果、第２電子機器５０Ａ，５０Ｂは、メッセージ４１ｄの情報を他のメッセージの情報とともに時系列で所定の画面に表示することができる。
【００６６】
第１電子機器１は、サーバ８０に送信を指示したメッセージ４１ｄの情報とその送信時間とを、表示部２の画面４０に表示する。図９に示す例では、メッセージ４１ｄは、ユーザが通話を行った「ママ」のユーザを示す情報と、通話時間が「６：３０」（６分３０秒）であることを示す情報とを有する。図９に示す例では、第１電子機器１は、画面４０において、メッセージ４１ｄの情報とアバター９３とを対応させずに、単独のメッセージ４１ｄとして表示している。その結果、第１電子機器１は、メッセージ４１ｄの表示態様に基づいて、メッセージ４１ｄが通知するためのメッセージであることを視覚的に判断させることができる。
【００６７】
図９に示す例では、第１電子機器１は、アバター９３を表示させずに、メッセージ４１ｄの情報のみを画面４０に表示する場合について説明するが、これに限定されない。例えば、第１電子機器１は、メッセージ４１ｃの場合と同様に、メッセージ４１ｄとアバター９３とを画面４０に表示してもよい。
【００６８】
ステップＳ２５では、ユーザ名が「パパ」のユーザは、メッセージ４１ｃ，４１ｄを参照し、第１電子機器１のボタン３Ａが押下された理由を知るために、「どうした？」のメッセージ４１ｅをユーザ名が「ゆうた」及び「ママ」のユーザに送信している。
【００６９】
第１電子機器１は、ユーザ名が「パパ」のユーザ（第２電子機器５０Ｂ）から送信されたメッセージ４１ｅの情報を、サーバ８０からの指示によって画面４０に時系列で表示する。図９に示す例では、画面４０は、メッセージ４１ｃ，４１ｄ，４１ｅの情報を時系列で表示する。画面４０は、ユーザ名が「パパ」のアバター９２と、メッセージ４１ｅの送信時間との情報を、メッセージ４１ｅの情報とともに時系列で表示する。
【００７０】
図１０は、第１電子機器１が緊急連絡機能を実行した場合の第２電子機器５０Ａの表示例を示す図である。図１０に示す一例では、図９のステップＳ２５の後における第２電子機器５０Ａの表示例を示している。
【００７１】
図１０に示すように、第２電子機器５０Ａは、第１電子機器１と同様の画面４０を表示部２に表示する。ユーザ名が「ママ」のユーザが使用する第２電子機器５０Ａは、第１電子機器１の画面４０の主体をユーザの「ママ」に変更した画面４０を表示部２に表示する。その結果、第２電子機器５０Ａは、サーバ８０を介して、「家族」のグループに属する複数のユーザのメッセージを交換し、当該メッセージを時系列で画面４０に表示する。
【００７２】
図１０に示すように、第２電子機器５０Ａは、図９のステップＳ２５に示したメッセージ４１ｃ，４１ｄ，４１ｅを時系列で画面４０に表示する。この場合、第２電子機器５０Ａは、メッセージ４１ｃ，４１ｅに対応したアバター９３，９２を、画面４０の左側に配置している。図１０に示す例では、第２電子機器５０Ａは、「家族」のグループに属するユーザ名が「ゆうた」と「パパ」のユーザへのメッセージ４１ｆの送信をサーバ８０に指示している。メッセージ４１ｆは、ユーザ名が「ゆうた」と「ママ」とのユーザ間で電話した結果を示す「忘れ物したって」の情報を含む。
【００７３】
第２電子機器５０Ａは、サーバ８０に送信を指示したメッセージ４１ｆの情報とその送信時間を、表示部２の画面４０に表示する。この場合、第２電子機器５０Ａは、アドレス帳データ９Ｙに基づいて、ユーザ名が「ママ」のアバター９１を「じぶん」のアバター９１としてメッセージ４１ｆの情報とともに画面４０に表示する。画面４０は、第２電子機器５０Ａのユーザである「じぶん」のアバター９１とメッセージ４１ｆの送信時間とを示す情報を、メッセージ４１ｆの情報とともに表示する。
【００７４】
第２電子機器５０Ａがサーバ８０に送信を指示したメッセージ４１ｆの情報は、第１電子機器１及び第２電子機器５０Ｂのそれぞれの画面４０に時系列で表示される。この場合、ユーザ名が「パパ」のユーザの第２電子機器５０Ｂは、第２電子機器５０Ａの画面４０の主体を「パパ」のユーザとした所定の画面を表示部２に表示する。その結果、ユーザ名が「パパ」のユーザは、ユーザ名が「ゆうた」のユーザが緊急連絡ボタンを押した理由が忘れ物であったことを、画面４０に時系列で表示されるメッセージ４１ｃ，４１ｄ，４１ｅ，４１ｆに基づいて確認することができる。
【００７５】
以上により、第１電子機器１は、ボタン３Ａが押下されたことを示すメッセージ４１ｃを、第１電子機器１の画面４０に、予め定められた他のユーザと交換したメッセージの情報とともに表示できる。第１電子機器１は、当該メッセージ４１ｃを他のユーザの第２電子機器５０Ａ，５０Ｂの画面４０に時系列で表示させることができる。その結果、第１電子機器１は、第１電子機器１及び第２電子機器５０Ａ，５０Ｂの複数のユーザに、第１電子機器１のボタン３Ａが操作されたことを、複数のユーザが利用するコミュニティの画面４０上で認識させることができる。第１電子機器１は、第１電子機器１のユーザが実行させた緊急機能を、第２電子機器５０Ａ，５０Ｂの複数のユーザに認識させることができるため、防犯に貢献することができる。
【００７６】
図１１は、第１電子機器１による緊急連絡機能の制御の一例の処理手順を示すフローチャートである。図１１に示す処理手順は、制御部１０が制御プログラム９Ａを実行することによって実現される。図１１に示す処理手順は、制御部１０によって繰り返し実行される。
【００７７】
図１１に示すように、第１電子機器１の制御部１０は、緊急連絡ボタンが押下されたか否かを判定する（ステップＳ１０１）。例えば、制御部１０は、ボタン３Ａが押下された場合に、緊急連絡ボタンが押下されたと判定する。制御部１０は、緊急連絡ボタンが押下されていないと判定した場合（ステップＳ１０１でＮｏ）、図１１に示す処理手順を終了させる。制御部１０は、緊急連絡ボタンが押下されたと判定した場合（ステップＳ１０１でＹｅｓ）、処理をステップＳ１０２に進める。
【００７８】
制御部１０は、緊急連絡先に発信する（ステップＳ１０２）。例えば、制御部１０は、アドレス帳データ９Ｙの緊急連絡先の電話番号への発信を通信部６に要求する。例えば、制御部１０は、緊急連絡先がビジーの場合、リダイヤルしたり、他の緊急連絡先に発信したりしてもよい。制御部１０は、緊急連絡先への発信が終了すると、処理をステップＳ１０３に進める。
【００７９】
制御部１０は、メッセージアプリケーション９Ｂを起動させる（ステップＳ１０３）。例えば、制御部１０は、メッセージアプリケーション９Ｂを起動させることで、サーバ８０を介したユーザ間のメッセージの交換を可能な状態にする。例えば、制御部１０は、メッセージアプリケーション９Ｂを起動させることで、画面４０を表示部２に表示させる。制御部１０は、メッセージアプリケーション９Ｂを起動させると、処理をステップＳ１０４に進める。
【００８０】
制御部１０は、緊急連絡ボタンが押下されたことを示すメッセージを作成する（ステップＳ１０４）。例えば、制御部１０は、ボタン３Ａが押された時間と本文とを有するメッセージを作成する。制御部１０は、メッセージを作成すると、処理をステップＳ１０５に進める。
【００８１】
制御部１０は、ステップＳ１０４で作成したメッセージの送信をメッセージアプリケーション９Ｂに指示する（ステップＳ１０５）。例えば、制御部１０は、アドレス帳データ９Ｙに基づいてメッセージの送信先と送信元とを指定し、メッセージアプリケーション９Ｂの送信機能を用いて、メッセージの送信をサーバ８０に指示する。制御部１０は、メッセージを送信すると、メッセージを示す情報を画面４０に表示させ、処理をステップＳ１０６に進める。
【００８２】
制御部１０は、緊急連絡先との通話が終了したか否かを判定する（ステップＳ１０６）。例えば、制御部１０は、緊急連絡先との通信が切れた場合、または、通話を終了するための操作を検出した場合、緊急連絡先との通話が終了したと判定する。制御部１０は、緊急連絡先との通話が終了していないと判定した場合（ステップＳ１０６でＮｏ）、処理を既に説明したステップＳ１０６に戻す。制御部１０は、緊急連絡先との通話が終了したと判定した場合（ステップＳ１０６でＹｅｓ）、処理をステップＳ１０７に進める。
【００８３】
制御部１０は、緊急連絡先と通話が行われたことを示すメッセージを作成する（ステップＳ１０７）。例えば、制御部１０は、本文と、緊急連絡先との通話時間とを有するメッセージを作成する。制御部１０は、メッセージを作成すると、処理をステップＳ１０８に進める。
【００８４】
制御部１０は、ステップＳ１０７で作成したメッセージの送信をメッセージアプリケーション９Ｂに指示する（ステップＳ１０８）。例えば、制御部１０は、アドレス帳データ９Ｙに基づいてメッセージの送信先と送信元とを指定し、メッセージアプリケーション９Ｂの送信機能を用いて、メッセージの送信をサーバ８０に指示する。制御部１０は、メッセージを送信すると、メッセージを示す情報を画面４０に表示させ、図１１に示す処理手順を終了させる。
【００８５】
通信システム１００は、第１電子機器１のボタン３Ａが押下されたことを示すメッセージ４１ｃを、第１電子機器１の画面４０に、予め定められた他のユーザと交換したメッセージの情報とともに表示する。通信システム１００は、当該メッセージ４１ｃを他のユーザの第２電子機器５０Ａ，５０Ｂの画面４０に時系列で表示する。その結果、通信システム１００は、第１電子機器１及び第２電子機器５０Ａ，５０Ｂの複数のユーザに、第１電子機器１のボタン３Ａが操作されたことを、複数のユーザが利用するコミュニティの画面４０上で認識させることができる。このため、通信システム１００は、第１電子機器１を携帯するユーザの安全性を向上させることができる。
【００８６】
上記の実施形態では、第１電子機器１及び第２電子機器５０Ａ，５０Ｂは、サーバ８０を介してメッセージの交換を行う場合について説明したが、これに限定されない。例えば、第１電子機器１及び第２電子機器５０Ａ，５０Ｂは、サーバ８０を介さずに、メッセージを直接送受信することで、メッセージの交換をしてもよい。
【００８７】
上記の実施形態では、第１電子機器１は、ボタン３Ａの押下による緊急機能として、緊急連絡機能を実行する場合について説明したが、これに限定されない。例えば、第１電子機器１は、緊急機能を警報機能としてもよい。この場合、第１電子機器１は、警報音を出力したことを示すメッセージを第２電子機器５０のユーザに送信すればよい。警報音は、上記の防犯ブザーによる鳴動音であってよい。また、第１電子機器１は、警報音を出力したときの第１電子機器１の位置を示す位置情報を含むメッセージを第２電子機器５０のユーザに送信してもよい。また、第１電子機器１は、ボタン３Ａの押下による緊急機能として、カメラ１３を起動して周囲を撮影し、撮影した画像をメッセージとして第２電子機器５０Ａ，５０Ｂのユーザに送信してもよい。
【００８８】
上記の実施形態では、第１電子機器１は、ボタン３Ａを緊急連絡用のボタンとして機能させる場合について説明したが、これに限定されない。例えば、第１電子機器１は、ボタン３Ａに他の機能を割り当ててもよい。割り当てる他の機能は、例えば、電源のオンオフ機能、カメラの起動機能、アプリケーションの起動機能、画面操作用の十字キー機能、自機の現在位置を検出する位置検出機能等を含む。
【００８９】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００９０】
１  第１電子機器
１Ａ  表面
１Ｂ  背面
１Ｃ  側面
１Ｄ  壁部
２  表示部
３  操作部
３Ａ，３Ｂ，３Ｃ  ボタン
６  通信部
７  レシーバ
８  マイク
９  記憶部
９Ａ，９０Ａ  制御プログラム
９Ｂ  メッセージアプリケーション
９Ｃ  電話アプリケーション
９Ｙ  アドレス帳データ
９Ｚ  設定データ
１０  制御部
１１  スピーカ
１２，１３  カメラ
１５  振動部
１６  ランプ
２０  ハウジング
５０Ａ，５０Ｂ  第２電子機器
８０  サーバ
【図１】
2019033428.tif 000003
【図２】
2019033428.tif 000004
【図３】
2019033428.tif 000005
【図４】
2019033428.tif 000006
【図５】
2019033428.tif 000007
【図６】
2019033428.tif 000008
【図７】
2019033428.tif 000009
【図８】
2019033428.tif 000010
【図９】
2019033428.tif 000011
【図１０】
2019033428.tif 000012
【図１１】
2019033428.tif 000013